(57)【要約】【課題】シンプルなユーザーインターフェースにより、ユーザに余計な負担を強いることなくメッセージ受信時のユーザ操作を極めて容易に行なえるようにする。【解決手段】留守番電話機能ブロック２０５、Ｅメール送受信機能ブロック２０７、電子メールの文字情報をアナログ音声信号に変換する音声合成部２０２を有する通信装置において、受信した電子メールの出力を音声出力（読み上げ出力）により行なう。さらに、ＣＰＵ２００の制御により、表示器１０２、操作部１０３を用いた適当なユーザーインターフェースにより、電子メールの音声出力後の後処理（当該電子メールの記録出力処理を行なうか否か、当該電子メールの削除処理を行なうか否か、など）の態様をユーザ設定できるようにする。【選択図】        図２
2004179927.tif 000002
【特許請求の範囲】
【請求項１】
留守録音メッセージ受信手段と、
電子メール受信手段と、
電子メールの文字情報をアナログ音声信号に変換する音声合成手段と、
前記音声合成手段を用いて電子メールの音声出力を行なう際、電子メールの音声出力後の後処理の態様をユーザ設定するユーザ設定手段を有することを特徴とする通信装置。
【請求項２】
前記ユーザ設定により、電子メールの音声出力後、当該電子メールの記録出力処理を行なうか否かが設定されることを特徴とする請求項１に記載の通信装置。
【請求項３】
前記ユーザ設定により、電子メールの音声出力後、当該電子メールの削除処理を行なうか否かが設定されることを特徴とする請求項１に記載の通信装置。
【請求項４】
留守録音メッセージ受信手段と、電子メール受信手段と、電子メールの文字情報をアナログ音声信号に変換する音声合成手段を有する通信装置の制御方法において、
前記音声合成手段を用いて電子メールの音声出力を行なう際、電子メールの音声出力後の後処理の態様をあらかじめ行なわれたユーザ設定に基いて制御することを特徴とする通信装置の制御方法。
【請求項５】
前記ユーザ設定により、電子メールの音声出力後、当該電子メールの記録出力処理を行なうか否かが設定されることを特徴とする請求項４に記載の通信装置の制御方法。
【請求項６】
前記ユーザ設定により、電子メールの音声出力後、当該電子メールの削除処理を行なうか否かが設定されることを特徴とする請求項４に記載の通信装置の制御方法。
【請求項７】
留守録音メッセージ受信手段と、電子メール受信手段と、電子メールの文字情報をアナログ音声信号に変換する音声合成手段を有する通信装置の制御プログラムにおいて、
前記音声合成手段を用いて電子メールの音声出力を行なう際、電子メールの音声出力後の後処理の態様をあらかじめ行なわれたユーザ設定に基いて制御することを特徴とする通信装置の制御プログラム。
【請求項８】
前記ユーザ設定により、電子メールの音声出力後、当該電子メールの記録出力処理を行なうか否かが設定されることを特徴とする請求項７に記載の通信装置の制御プログラム。
【請求項９】
前記ユーザ設定により、電子メールの音声出力後、当該電子メールの削除処理を行なうか否かが設定されることを特徴とする請求項７に記載の通信装置の制御プログラム。
【発明の詳細な説明】
【０００１】
【発明の属する技術分野】
本発明は、留守録音メッセージ受信手段および電子メール受信手段を有する通信装置、通信装置の制御方法、および通信装置の制御プログラムに関するものである。
【０００２】
【従来の技術】
情報化社会の発展に伴ない、一般家庭にも種々の情報端末が普及しつつある。情報端末には、留守番電話やファクシミリ装置、また、近年ではパーソナルコンピュータ（以下ＰＣという）なども広く普及している。
【０００３】
また、一般家庭に接続される通信回線も旧来の音声回線のみならず、インターネットの普及に伴ない、ＡＤＳＬのようなデータ通信専用の回線も接続されるようになってきており、また、これら通信回線の伝送速度も著しく高速化している。
【０００４】
インターネットのようなネットワークにおける情報伝達手段の１つに電子メール（以下Ｅメール、あるいは単にメールという）がある。初期のＥメールは、企業や大学などのごく限られたユーザに用いられていただけであるが、このＥメールの利用も一般家庭において珍しいものではなくなっている。
【０００５】
一方で、ファクシミリ装置も一般家庭に広く普及しているが、家庭用の多くのファクシミリ装置は電話機およびファクシミリの機能を一体化したＦＡＸ電話のような製品形態が多い。
【０００６】
このような状況において、留守番電話、ファクシミリおよびＥメールを１台の複合端末で利用できるようにした構成が提案されている（たとえば下記の特許文献１）。この種の装置では、留守番電話およびファクシミリ通信については直接公衆回線と接続して行ない（ただし、ＶｏＩＰなどを利用したインターネット電話機能も利用できる）、Ｅメールの送受信はダイヤルアップによりインターネットに接続して行なう構成が主流である。そして、このようなケースでは固定のグローバルＩＰアドレスとドメインネームを付与される契約を行なう場合は少ない。このため、この種の装置では、メール送信に関しては送信の必要が生じた時にダイヤルアップを行なって直ちに送信を行なえるが、メール受信に関してはタイマ制御などにより定期的に（たとえば数１０分〜数時間おき）にインターネットにダイヤルアップ接続してプロバイダのメールサーバに接続し、受信メールの有無をチェックし、受信メールがあればそれをＰＯＰ３やＩＭＡＰなどのプロトコルによりダウンロードするものが多い。
【０００７】
【特許文献１】
特開２０００−３４１４３２号公報
【０００８】
【発明が解決しようとする課題】
上記のような従来の留守番電話、ファクシミリおよびＥメール機能を有する複合端末では、留守録音メッセージ受信、ＦＡＸ受信、Ｅメール受信のいずれかが発生した時点で、ユーザは受信したメッセージが留守録音メッセージであれば音声の再生操作、ＦＡＸであればプリント操作、Ｅメールであれば表示器への表示操作を行なうことで、内容確認を行なうことができる。
【０００９】
しかしながら、ユーザにとって、これら複数の受信メッセージをそれぞれ別々の操作（多くの場合別々の操作ボタンや別々の操作メニューをそれぞれ用いなければならない）による出力方法で確認することは非常に煩わしい。
【００１０】
また、Ｅメールに関しては、表示出力だけではなく、音声出力（読み上げ出力）やプリントなど、異なる出力の態様がいくつか考えられる。特に家庭用の電話ＦＡＸ端末のように家族で利用する目的を持つ端末には、様々な年齢、あるいは肉体的条件のユーザへの配慮が必要となってきており、この意味においても、この種の複合端末では可能なＥメールメッセージの出力方式を複数有しているのが望ましい。
【００１１】
たとえば、視覚が弱いユーザは、表示器のＥメールメッセージは判読が困難な場合も多い。ＩＳＰによっては特定の番号に電話を掛ける事によりサーバーに届いたＥメールを音声で聞かせるサービスを行なっていることがあり、ユーザはこのようなサービスを利用することも可能であるが、多くの場合これらのサービスは有料であり、また、すべてのプロバイダがこのようなサービスを実施している訳ではない。複合通信端末ではＥメール内容をプリント出力する機能も知られているが、画像情報と違い、短い文字情報が多いＥメールをいちいちプリントすることも時間が掛かる上、紙の無駄である。
【００１２】
そして、Ｅメールメッセージの出力方式を複数設ける場合には、その出力方式はユーザに余計な負担を強いることなく極めて容易に行なえなければならないのはいうまでもない。
【００１３】
本発明の課題は、上記の問題を解決し、留守録音メッセージ、ＦＡＸ、Ｅメールの機能を有する通信システムにおいて、ごくシンプルなユーザーインターフェースにより、ユーザに余計な負担を強いることなくメッセージ受信時のユーザ操作を極めて容易に行なえるようにすることにある。
【００１４】
【課題を解決するための手段】
上記の課題を解決するため、本発明によれば、留守録音メッセージ受信手段および電子メール受信手段を有する通信装置、通信装置の制御方法、および通信装置の制御プログラムにおいて、音声合成手段を用いて電子メールの音声出力を行なう際、電子メールの音声出力後の後処理をあらかじめユーザ設定する構成を採用した。
【００１５】
【発明の実施の形態】
以下、図を参照して本発明の実施の形態を説明する。
【００１６】
図１は本発明を採用した通信装置の外観を示している。図示の装置は、留守番電話、ファクシミリおよびＥメールの通信機能を１台の端末に統合した形式の通信装置である。
【００１７】
図１の通信装置は、筐体上に通話用のハンドセット１０１、装置の動作状態など必要な情報をユーザに対して表示するための表示器１０２、テンキーや各種のファンクションキーから成る操作部１０３を有する。
【００１８】
図１の装置では、表示器１０２に加え、装置の状態を示す３つのランプ（ＬＥＤ素子などの任意の光源が用いられる）が設けられている。符号１０４は留守電受信ランプで、この留守電受信ランプ１０４は留守番電話メッセージが到着している（録音されている）ことを示すために用いられる。符号１０５はＦＡＸ受信ランプで、このＦＡＸ受信ランプ１０５はファクシミリメッセージが到着している（たとえばメモリ受信されている）ことを示すために用いられる。符号１０６はＥメール受信ランプで、このＥメール受信ランプ１０６は、Ｅメールメッセージが到着している（たとえばメモリ内の所定領域に格納されている）ことを示すために用いられる。
【００１９】
また、筐体背面などの所定位置に主にファクシミリ通信などにおいて画像記録に用いられるプリンタ１０８が、筐体前面などの所定位置には、主にファクシミリ通信などにおいて原稿の読み取りに用いられるスキャナ１０７が設けられている。
【００２０】
図２は、図１の装置の制御系の構成を示している。上記の筐体上の表示器１０２、操作部１０３、留守電受信ランプ１０４、ＦＡＸ受信ランプ１０５、およびＥメール受信ランプ１０６は図１と同一の符号により示してある。
【００２１】
図２において符号２００はマイクロプロセッサなどから成るＣＰＵで、後述の通信処理（留守番電話、ファクシミリ、およびＥメールの通信）の全体を制御する。ＣＰＵ２００には、留守電受信ランプ１０４、ＦＡＸ受信ランプ１０５、Ｅメール受信ランプ１０６が接続され、通信状況に応じてＣＰＵ２００はこれらのランプの点灯／消灯を制御する。
【００２２】
後述の本発明の通信制御は、ＣＰＵ２００の制御プログラム（ファームウエア）としてＲＯＭ２０８に格納され、ＲＯＭ２０８上で、あるいはメモリ２０１の所定領域にコピーされた上で実行される。ただし、本発明の通信制御プログラムの格納場所はＲＯＭ２０８に限定されるものではなく、ハードディスクやＣＤ−ＲＯＭのような任意の記憶媒体を用いることができ、また、出荷時からこれらの記憶媒体にあらかじめ格納しておくのみならず、ネットワーク経由で本装置に（たとえばファームウエアのアップデートのために）供給されるようになっていてもよい。
【００２３】
メモリ２０１は、ＲＡＭなどの記憶装置から構成され、スキャナ１０７で読み取った画像データ、受信したファクシミリデータ、送受信Ｅメールデータ、留守番メッセージの録音データなどの格納に用いられる。
【００２４】
本実施形態では、文字情報（文字コードの形式のデータ）をアナログ音声信号に変換するための音声合成部２０２が設けられている。音声合成部２０２は、送受信Ｅメールの文字情報（あるいは本機のエラーメッセージやガイダンス音声：いずれも同様に文字情報としてＲＯＭ２０８などに格納しておくことができる）を読み上げるために用いられる。音声合成部２０２の文字情報の可聴音声への変換ソフトウェア（あるいはハードウェア）には公知のソフトウェア（あるいはハードウェア）を利用できる。
【００２５】
回線インターフェース２０４は本装置が接続される通信回線に適合した形式のものが用いられる。本装置の接続対象とする回線がアナログ回線の場合はＮＣＵなどの回路が用いられ、また、ＩＳＤＮ回線の場合は、ＩＳＤＮコントロールＩＣ、網終端用のＤＳＵ部、外部機器を接続するためのＴＡ部などから構成される。ＩＳＤＮ回線の場合は、後述のＦＡＸ機能ブロック２０６（アナログファクシミリ方式の場合）のＦＡＸモデムはＴＡ部のアナログインターフェースに接続される。ＦＡＸ機能ブロック２０６には、画像入出力手段として前述のスキャナ１０７とプリンタ１０８が含まれるが、ＣＰＵ２００の制御により必要（たとえばＥメールメッセージの記録出力）に応じてスキャナ１０７ないしプリンタ１０８の各画像入出力機能を利用できるものとする。
【００２６】
音声メッセージの録音（留守録音）／再生には磁気テープ方式を用いることとしてもよいが、本実施形態では音声ＣＯＤＥＣなどの音声ＩＣなどから成る留守番電話機能ブロック２０５を用いたデジタル録音／再生方式により音声メッセージの録音／再生を行なう。回線およびハンドセット１０１からの音声メッセージデータは留守番電話機能ブロック２０５によりデジタル化され、メモリ２０１の所定領域に格納される。メモリ２０１に録音されたメッセージは留守番電話機能ブロック２０５によりアナログ化され、ハンドセット１０１や不図示のスピーカで再生される。
【００２７】
ＦＡＸ機能ブロック２０６は、Ｇ３方式など所定方式のファクシミリ通信手順を制御する通信制御ユニット、たとえばＦＡＸモデムなどから構成される。前述のプリンタ１０６、スキャナ１０７に対する画像入出力はＦＡＸ機能ブロック２０６の動作の進行に応じてＣＰＵ２００により制御される。
【００２８】
なお、本実施形態では、ファクシミリ通信方式はＩＴＵ−Ｔ勧告Ｔ．３０のアナログファクシミリ方式によって行なうものとするが、ＩＴＵ−Ｔ勧告Ｔ．３７、Ｔ．３８のようなインターネットファクシミリ通信方式を用いることもできる。
【００２９】
Ｅメール送受信機能ブロック２０７は、インターネットサービスプロバイダのメールサーバにＳＭＴＰ（送信プロトコル）やＰＯＰ、ＩＭＡＰなど（受信プロトコル）により接続するためのソフトウェア、送信メールを操作部１０３および表示器１０２を用いて編集し、また、受信メールを表示器１０２に適当な体裁で表示するためのソフトウェア、などから構成される。図１では便宜上独立した機能ブロックとしてＦＡＸ機能ブロック２０６を図示しているが、もちろんＦＡＸ機能ブロック２０６はＣＰＵ２００のソフトウェアモジュールとして構成することもできる。また、ＰＰＰなどのダイヤルアップ接続プロトコル、インターネット通信に必要なＴＣＰ／ＩＰレイヤもＣＰＵ２００のソフトウェアモジュールとして構成することができる。
【００３０】
以上の各機能ブロックは、ＣＰＵ２００のシステムバス２１１に接続される。
【００３１】
次に以上の構成における通信制御につき図３〜図５のフローチャートを参照して説明する。
【００３２】
本実施形態では、受信した留守録音メッセージおよびＥメールメッセージの出力処理は音声出力を基本とする。すなわち、Ｅメールメッセージは読み上げ出力を行なうものとし、音声メッセージの音声出力と同じ出力方法で出力を行なう。音声メッセージ、およびＥメールメッセージの２つの受信方式の異なるメッセージを同じ音声出力方式により出力することにより、ユーザの負担を軽減することができる。たとえば視覚が弱いユーザでも、表示器のＥメールメッセージを読み取る必要がなく、また、留守録音メッセージおよびＥメールメッセージのいずれも音声で聞くことができるため、ユーザーインターフェースを統合、簡略化し、ユーザは操作を容易に習熟できる。
【００３３】
留守番電話機能ブロック２０５およびＥメール送受信機能ブロック２０７で留守録音メッセージおよびＥメールメッセージを受信した時の後処理をあらかじめユーザ設定しておき、留守録音メッセージおよびＥメールメッセージの受信後に面倒な操作を行なうことなくユーザ設定された処理を自動的に実行できるようにする。
【００３４】
図３および図４は図１の装置のユーザ設定モードの制御の要部を示している。図３はＥメールメッセージ出力後の処理のユーザ設定を、図４は音声メッセージ出力後の処理のユーザ設定をそれぞれ示している。
【００３５】
図３のステップＳ３０１において、操作部１０３でＥメールメッセージ受信後の後処理に関するユーザ設定モードを指定する所定の操作が行なわれると、ステップＳ３０２以降において当該の後処理に関する設定を行なう。
【００３６】
ステップＳ３０３では、読み上げ後にプリンタ１０８により受信したＥメールメッセージの記録出力を行なうか否かを設定する。記録出力を行なう場合はさらにステップＳ３０５において記録出力後にＥメールメッセージをメモリから消去するか否かを設定する。ステップＳ３０３、Ｓ３０５の設定は、表示器１０２、操作部１０３を用いた適当なユーザーインターフェース（たとえばメニュー表示とファンクションキー操作の組合せなど）により行なうものとする。
【００３７】
そして、ステップＳ３０３、あるいはさらにステップＳ３０５の結果に応じて、ステップＳ３０４、Ｓ３０６、ないしＳ３０７においてメモリ２０１のＳＲＡＭ領域に対応するフラグを格納する。すなわち、ステップＳ３０４では「読み上げ後プリントしない」旨のフラグを、ステップＳ３０６では「読み上げ、プリント後メッセージを消去する」旨のフラグを、ステップＳ３０７では「読み上げ、プリント後メッセージを消去しない」旨のフラグをそれぞれ格納する。
【００３８】
一方、図４のステップＳ４０１において、操作部１０３で留守録音メッセージ受信後の後処理に関するユーザ設定モードを指定する所定の操作が行なわれると、ステップＳ４０２以降において当該の後処理に関する設定を行なう。この留守録音音声メッセージの場合は、ステップＳ４０３で再生後に消去するか否かのユーザ設定を受け付ける。このユーザ設定も上記同様のユーザーインターフェースにより行なうことができる。
【００３９】
そして、ステップＳ４０３の結果に応じて、ステップＳ４０４、ないしステップＳ４０５においてメモリ２０１のＳＲＡＭ領域に対応するフラグを格納する。すなわち、ステップＳ４０４では「再生後メッセージを消去しない」旨のフラグを、ステップＳ４０５では「再生後メッセージを消去する」旨のフラグをそれぞれ格納する。
【００４０】
図５はメッセージ再生動作手順を示している。図５では、上述のように受信した留守録音メッセージおよびＥメールメッセージの基本出力処理を音声出力により行なうものとする。
【００４１】
まず、特定のメッセージ再生ボタン（たとえば操作部１０３上の「再生」ボタンなど）が押下されたかどうかを確認し（ステップＳ５０１）、当該操作が行なわれた場合に、未再生メッセージがあったかどうかを判断する（ステップＳ５０２）。そこで、「メッセージあり」と判断された場合は、次に未再生の留守録音メッセージおよびＥメールメッセージの両方があるのかどうかを判断する（ステップＳ５０３）。
【００４２】
ステップＳ５０３で、両方のメッセージがない（どちらかのメッセージしかない）と判断された場合は、格納されている方のメッセージを音声再生し、未読である旨のフラグをＯＦＦにして、音声再生処理を終了する（ステップＳ５０４、ステップＳ５０５）。Ｅメールの音声出力には、音声合成部２０２を用いる（以下でも同様）。
【００４３】
また、ステップＳ５０３で両方のメッセージがあると判断された場合は、Ｅメールの再生を行なうか留守録音メッセージの再生を行なうかを選択する画面を表示器１０２に表示する（ステップＳ５０６）。
【００４４】
ステップＳ５０６で選択されたメッセージがＥメールであれば（ステップＳ５０７）、Ｅメールの読み上げを音声合成部２０２により実行し（ステップＳ５０８）、未読である旨のフラグをＯＦＦにして（ステップＳ５０９）、ステップＳ５１０以降で図３のステップＳ３０１〜３０７で行なわれたユーザ設定に応じたメッセージの記録出力／消去処理を行って終了する。
【００４５】
すなわち、図３のステップＳ３０１〜３０７であらかじめユーザ設定されている処理が、「プリントして消去する」であった場合は（ステップＳ５１１）、プリンタ１０８が記録出力が可能な状態であるかどうかを判断し（ステップＳ５１２）、記録出力が可能であればステップＳ５１９においてメッセージを記録出力し、メモリから消去する。またプリンタ１０８が紙なし状態であるなどの理由でプリントできない場合は、Ｅメール読み上げ後、メッセージを消去せずに処理を終了する（ステップＳ５１３）。
【００４６】
一方、ステップＳ５０６で、留守録音メッセージ再生が選択された場合は、留守録音メッセージを再生し（ステップＳ５１４）、未読フラグをＯＦＦにする（ステップＳ５１５）。その後、ステップＳ５１６以降において、図４のステップＳ４０１〜４０５でユーザ設定されたメッセージの記録出力／消去処理を行って終了する。
【００４７】
すなわち、図４のステップＳ４０１〜４０５のユーザ設定が消去設定であれば（ステップＳ５１７）、留守録音メッセージをメモリから消去して終了する（ステップＳ５１８）。
【００４８】
なお、Ｅメール・留守録音メッセージの各未読フラグがＯＦＦの状態になった場合は、留守メッセージ受信ランプ１０４、Ｅメール受信ランプ１０６を消灯する。なお、図示はしないが、何らかの原因でメッセージの再生・読み上げができなかった場合は、未読フラグはＯＦＦにせず、前記各受信ランプは消灯しないで処理を終了する。
【００４９】
図５の例では、ステップＳ５０４の処理において図３、図４のようにしてユーザ設定した読み上げ後の処理を行なわず、音声再生のみを行なうものとした。このように、特に操作形態が複雑になりがちな留守録音メッセージおよびＥメールメッセージの両方が存在する場合にステップＳ５０６以降の処理を行なうことにより、留守録音メッセージおよびＥメールメッセージの音声再生（読み上げ）処理に関するユーザ操作を極めて容易にすることができる。ただし、ステップＳ５０８〜Ｓ５１３（電子メール読み上げ）、ないしステップＳ５１４〜Ｓ５１８（留守録音メッセージ再生）の処理は、留守録音メッセージないしＥメールメッセージのいずれか一方のみ存在する場合にもステップＳ５０４において実行することができるのはいうまでもない。
【００５０】
以上のように、本実施形態によれば、留守録音メッセージおよびＥメールメッセージを受信する機能を有する通信装置において、留守録音メッセージおよびＥメールメッセージの双方を音声出力（読み上げ出力）することができ、これによりユーザの負担を軽減することができる。たとえば視覚が弱いユーザでも、表示器のＥメールメッセージを読み取る必要がなく、また、留守録音メッセージおよびＥメールメッセージのいずれも音声で聞くことができるため、ユーザーインターフェースを統合、簡略化し、ユーザは操作を容易に習熟できる。
【００５１】
そして、留守録音メッセージまたはＥメールメッセージの音声出力後の後処理（消去や記録出力処理、あるいはさらに記録後の消去処理）をあらかじめユーザ設定しておくことができるため、留守録音メッセージまたはＥメールメッセージの音声出力後の後処理を極めて簡単に実行することができる。
【００５２】
また、留守録音メッセージまたはＥメールメッセージそれぞれに関して操作部１０３に「留守録音再生」ボタンと「Ｅメール再生」ボタンを１つづつそれぞれ設けておくような構成も考えられるが、再生モードにおいて留守録音メッセージおよびＥメールメッセージを同じリスト表示中に表示する、たとえば、表示器１０２に
2004179927.tif 000003
のように留守録音メッセージおよびＥメールメッセージを到着順にソートして留守録音メッセージまたはＥメールメッセージの種別、その受信日時、その発信者、その標題などの属性情報をリスト表示させ、留守録音メッセージおよびＥメールメッセージが（到着順ではあるが）ランダムな順序で並ぶような構成においては、操作部１０３に設けるべき「再生」ボタン（あるいは「次メッセージ」のようなボタン）は１つだけで良くなる。
【００５３】
したがって、本実施形態によれば、留守録音メッセージおよびＥメールメッセージの再生操作に必要な操作ボタンの数を大きく減少し、構成を簡単安価にでき、しかもユーザは留守録音メッセージおよびＥメールメッセージの再生操作を極めて簡単に行なうことができる。
【００５４】
そして、図５の方式（Ｓ５０６〜Ｓ５１８）によれば、上の表１のように留守録音メッセージおよびＥメールメッセージを到着順にソートしてリスト表示させ、留守録音メッセージおよびＥメールメッセージが（到着順ではあるが）ランダムな順序で並ぶような場合でも、留守録音メッセージおよびＥメールメッセージの出力がいずれも音声により行なわれ、しかも、再生後の後処理がいずれもあらかじめ行なわれたユーザ設定に応じて同じように自動的に行なわれるので、留守録音メッセージおよびＥメールメッセージの再生を全く同様にシームレスに行なうことができ、ユーザに与える印象が非常にすっきりとしたものになる。
【００５５】
さらに、Ｅメールメッセージの読み上げに関しては、サービスの有無がＩＳＰごとにまちまちでしかも有料のサービスを利用することなく実施でき、ユーザのＩＳＰに対する登録操作や金銭的負担を大きく軽減することができる。
【００５６】
【発明の効果】
以上の説明から明らかなように、本発明によれば、留守録音メッセージ受信手段および電子メール受信手段を有する通信装置、通信装置の制御方法、および通信装置の制御プログラムにおいて、音声合成手段を用いて電子メールの音声出力を行なう際、電子メールの音声出力後の後処理をあらかじめユーザ設定する構成を採用しているので、留守録音メッセージおよびＥメールメッセージの双方をいずれも同じ音声出力（読み上げ出力）方式により出力することができ、これによりユーザの負担を大きく軽減することができ、さらに、留守録音メッセージまたはＥメールメッセージの音声出力後の後処理を極めて簡単に実行することができる、という優れた効果が得られる。
【図面の簡単な説明】
【図１】本発明を採用した通信装置の構成を示した説明図である。
【図２】図１の装置の制御系の構成を示した説明図である。
【図３】図１の装置の通信制御の様子を示したフローチャート図である。
【図４】図１の装置の通信制御の様子を示したフローチャート図である。
【図５】図１の装置の通信制御の様子を示したフローチャート図である。
【符号の説明】
１０１  ハンドセット
１０２  表示器
１０３  操作部
１０４  留守電受信ランプ
１０５  ＦＡＸ受信ランプ
１０６  Ｅメール受信ランプ
１０７  スキャナ
１０８  プリンタ
２００  ＣＰＵ
２０１  メモリ
２０２  音声合成部
２０４  回線インターフェース
２０５  留守番電話機能ブロック
２０６  ＦＡＸ機能ブロック
２０７  Ｅメール送受信機能ブロック
２０８  ＲＯＭ
２１１  システムバス
【図１】
2004179927.tif 000004
【図２】
2004179927.tif 000005
【図３】
2004179927.tif 000006
【図４】
2004179927.tif 000007
【図５】
2004179927.tif 000008